(57)【要約】【課題】小型化が容易であって、製造コストを低減できる操作装置を提供する。【解決手段】凹部３４を有する第１面３２及び第１表面３２と反対の第２表面３３を有する樹脂製のパネル３１が基板２１上に積層されている。パネル３１には、凹部３４の底面３５を、マトリクス状に並ぶ複数のキー領域３５Ａに区画する第１リブ３６及び第２リブ３７が設けられている。操作装置１０は、キー領域３５Ａにおいて予め定められた閾値より大きな静電容量の変化を検出して操作情報を出力するタッチ操作検出部２５を有する。凹部３４の底面３５から第１リブ３６が突出する第１突出長さは、凹部３４の底面３５から第２リブ３６が突出する第２突出長さよりも長く、タッチ操作検出部２５の閾値は、第１リブ３６及び第２リブ３７の各突出端において人が接触したことによる静電容量の変化より大きい。【選択図】図３
2016194975.tif 000002
【特許請求の範囲】
【請求項１】
凹部を有する第１面及び当該第１面と反対の第２面を有し、当該凹部の底面に、第１方向に延出する第１リブと、上記第１方向に直交する第２方向に延出する第２リブとが設けられており、上記凹部の底面が、上記第１リブ及び上記第２リブによってマトリクス状に並ぶ複数のキー領域に区画された樹脂製のパネルと、
上記キー領域において予め定められた閾値より大きな静電容量の変化を検出して操作情報を出力する検出手段と、を具備しており、
上記凹部の底面から上記第１リブが突出する第１突出長さは、上記凹部の底面から上記第２リブが突出する第２突出長さよりも長く、
上記検出手段の閾値は、上記第１リブ及び上記第２リブの各突出端において人が接触したことによる静電容量の変化より大きい操作装置。
【請求項２】
上記キー領域のそれぞれは、上記第１リブの上記第１方向に沿った長さが、上記第２リブの上記第２方向に沿った長さよりも長い請求項１に記載の操作装置。
【請求項３】
上記パネルは、上記第１方向に沿った長さが、上記第２方向に沿った長さより長い請求項２に記載の操作装置。
【請求項４】
上記第１リブは、上記第１面よりも外方へ突出している請求項１から３のいずれかに記載の操作装置。
【請求項５】
上記第２リブは、上記第１面まで突出している請求項１から４のいずれかに記載の操作装置。
【請求項６】
上記各キー領域は、テンキーである請求項１から５のいずれかに記載の操作装置。
【請求項７】
上記各キー領域に、それぞれのキー領域における上記静電容量の変化に基づいて上記検出手段から出力される操作情報に関する表示が設けられている請求項１から６のいずれかに記載の操作装置。
【発明の詳細な説明】
【技術分野】
【０００１】
本発明は、ユーザによって入力操作される操作装置に関する。
【背景技術】
【０００２】
各種情報の入力に使用される操作装置は、小型の機器に搭載できるように小型化が進んでおり、静電容量型のキーを用いた薄型の操作装置も実用化されている。静電容量型のキーが用いられる場合、各キーに対してユーザの指が接近あるいは接触すると、各キーに対応して配置された静電容量型の検出手段が反応する。
【０００３】
特許文献１には、マトリクス状に配置された複数の検出電極（検出手段に相当）が絶縁体カバーによって覆われて、絶縁体カバーの表面が、ユーザによってタッチ操作されるキー領域になった静電容量型のタッチスイッチが開示されている。このタッチスイッチでは、絶縁体カバーの表面がキー領域毎に凹状に窪んだ形状とされ、隣り合うキー領域の間では表面が突出した凸形状とされる。この構成によれば、ユーザが、入力操作の対象とするキー領域の中央部からずれた部分をタッチ操作しても、隣り合うキー領域を検知対象とする検出電極が反応する虞がない。
【０００４】
特許文献２には、キー領域を枠体によって囲む構成が開示されている。この構成に基づいて、特許文献１における絶縁体カバーの凸形状部分を枠状に形成することが考えられる。このような構成にすると、隣り合う検出電極の間隔を、より小さくすることが可能である。
【先行技術文献】
【特許文献】
【０００５】
【特許文献１】特開２００９−２２４１１２号公報
【特許文献２】特開昭６０−７４２１０号公報
【発明の概要】
【発明が解決しようとする課題】
【０００６】
絶縁体カバーは、通常、樹脂の射出成型によって製造される。このために、特許文献１における絶縁体カバーの凸形状部分を枠形状にすると、金型において成型された絶縁体カバーの枠形状部分が金型に付着する「キャビ取られ」が発生している確率が高くなる。この為、金型に付着した絶縁体カバーを金型から取り出す作業が必要になるため絶縁体カバーの製造効率が低下する。また、金型に付着した絶縁体カバーを金型から取り出す際に、絶縁体カバーに傷が付く虞があり、絶縁体カバーが不良品となる確率が高くなる。その結果、操作装置の製造コストが増加してしまう虞がある。
【０００７】
本発明は、前述された事情に鑑みてなされたものであり、その目的は、小型化が容易であって、製造効率の低下及び不良品の発生を抑えつつ製造可能な操作装置を提供することにある。
【課題を解決するための手段】
【０００８】
(1)  本発明に係る操作装置は、凹部を有する第１面及び当該第１面と反対の第２面を有し、当該凹部の底面に、第１方向に延出する第１リブと、上記第１方向に直交する第２方向に延出する第２リブとが設けられており、上記凹部の底面が、上記第１リブ及び上記第２リブによってマトリクス状に並ぶ複数のキー領域に区画された樹脂製のパネルと、上記キー領域において予め定められた閾値より大きな静電容量の変化を検出して操作情報を出力する検出手段と、を具備しており、上記凹部の底面から上記第１リブが突出する第１突出長さは、上記凹部の底面から上記第２リブが突出する第２突出長さよりも長く、上記検出手段の閾値は、上記第１リブ及び上記第２リブの各突出端において人が接触したことによる静電容量の変化より大きい。
【０００９】
この構成では、隣り合うキー領域の境界である第１リブ及び第２リブに人が接触した場合に、全ての検出手段が反応しないために、誤入力が発生するおそれがない。このことから、静電容量の変化を検出するための部材を相互に近接させることが可能になり、操作装置の小型化が容易になる。
【００１０】
また、樹脂製のパネルにおける第１リブ及び第２リブは、底面からの突出長さが異なっているために、パネルの成型時において、成型されたパネルを金型から取り出す際に、第１リブ及び第２リブの全てが金型に付着することによる「キャビ取られ」の発生を抑制できる。これにより、パネルを、製造効率の低下及び不良品の発生を抑えつつ製造することができ、その結果、操作装置の製造コストの増加を抑制できる。
【００１１】
(2)  好ましくは、上記キー領域のそれぞれは、上記第１リブの上記第１方向に沿った長さが、上記第２リブの上記第２方向に沿った長さよりも長い。
【００１２】
この場合、第１方向よりも短い第２方向に沿って隣り合うキー領域の両方に対して、人が同時に接触することを、第１リブによって防止できる。
【００１３】
(3)  好ましくは、上記パネルは、上記第１方向に沿った長さが、上記第２方向に沿った長さより長い。
【００１４】
この場合、ユーザは、第２方向に沿って目視できる範囲が、キー領域をタッチ操作する指によって遮られても、第１リブにより、第２方向に沿って隣り合うキー領域を同時にタッチ操作されることを防止できる。
【００１５】
(4)  好ましくは、上記第１リブは、上記第１面よりも外方へ突出している。
【００１６】
これにより、人が第１リブに接触した場合に、検出手段においてキー領域がタッチ操作されたと判定されるおそれがない。
【００１７】
(5)  好ましくは、上記第２リブは、上記第１面まで突出している。
【００１８】
これにより、人がキー領域以外の領域に接触しても、検出手段においてキー領域がタッチ操作されたと判定されるおそれがない。
【００１９】
(6)  好ましくは、上記各キー領域は、テンキーである。
【００２０】
これにより、隣り合うキー領域が比較的近接して配置されるテンキーにおいて、誤入力及び誤検知の発生を抑制できる。
【００２１】
(7)  好ましくは、上記各キー領域に、それぞれのキー領域における上記静電容量の変化に基づいて上記検出手段から出力される操作情報に関する表示が設けられている。
【００２２】
この場合、第１リブに沿った複数のキー領域に対して、タンポ印刷によって表示を形成できるために、表示の形成が容易になる。
【発明の効果】
【００２３】
本発明によれば、誤入力及び誤検知の発生を抑制できる小型の操作装置を低コストで製造することができる。
【図面の簡単な説明】
【００２４】
【図１】図１は、本発明の一例である操作装置１０の正面図である。
【図２】図２は、操作装置１０におけるタッチ操作入力部１０Ａを示す斜視図である。
【図３】図３は、操作装置１０におけるタッチ操作入力部１０Ａ及び周縁部の正面図である。
【図４】図４は、図３のＡ−Ａ線に沿った断面図である。
【図５】図５は、図４のＢ−Ｂ線に沿った断面図である。
【発明を実施するための形態】
【００２５】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００２６】
［操作装置１０］
【００２７】
図１に示される操作装置１０は、例えば、プリント機能及びスキャン機能を有する複合機に搭載されて、ユーザによる入力操作によって各種情報が入力される。操作装置１０は、ユーザが入力操作する際に向き合う面（操作装置１０の正面）にタッチ操作入力部１０Ａが設けられた樹脂製のパネル３１を有する。パネル３１は、ケース１０Ｂ内に収容されている。パネル３１は、長方形状の第１表面３２を有している。
【００２８】
操作装置１０は、例えば、パネル３１の第１表面３２における長手方向を、左右方向９に沿った状態とされて、当該第１表面３２を複合機の正面（ユーザが複合機を操作する際に向き合う面）から前方に向けた状態で搭載される。
【００２９】
以下においては、図１に示された操作装置１０の正面を基準として、パネル３１の第１表面３２における長手方向を、左右方向９（後述するように「行方向」に相当）、パネル３１の第１表面３２における長手方向と直交する方向を上下方向７、上下方向７及び左右方向９に直交する方向を前後方向８（図４参照）とする。なお、上下方向７は、後述するように「列方向」に相当する。
【００３０】
なお、図１に示されるように、操作装置１０のパネル３１には、タッチ操作入力部１０Ａ以外にも、液晶表示部１０Ｃ等を具備しているが、本実施形態では、タッチ操作入力部１０Ａ以外の操作装置１０の構成要素の詳細な説明は省略される。
【００３１】
操作装置１０のタッチ操作入力部１０Ａは、静電容量型タッチスイッチ方式であり、ユーザの指等によるタッチ操作によって各種情報が入力される。本実施形態では、タッチ操作入力部１０Ａは、０〜９の数値が入力されるテンキー機能を有している。
【００３２】
図４及び図５に示されるように、タッチ操作入力部１０Ａは、パネル３１の下方に配置された基板２１を有する。パネル３１は、基板２１上に積層されている。
【００３３】
パネル３１は、第１表面３２とは反対、すなわち、基板２１に対向する第２表面３３を有する。第２表面３３は平面になっている。パネル３１には、操作装置１０の正面に向かって開口された凹部３４が設けられている。凹部３４は、平面視で正方形状の底面３５を有し、操作装置１０の正面に配置される開口部分も、同様の正方形状になっている。
【００３４】
底面３５は、第２表面３３とは平行な平坦面になっており、底面３５と第２表面３３との間は、一定の厚さ（前後方向８に沿った長さに相当）の誘電体部３８になっている。凹部３４の底面３５は、ユーザがタッチ操作される操作面になっている。
【００３５】
パネル３１は、例えば、誘電体であるアクリル樹脂によって、凹部３４を除いて数ｍｍ程度の一定の厚さに構成されている。なお、パネル３１は、アクリル樹脂に限らず、ＡＰＳ、ＰＳ、ＰＣ等の樹脂（誘電体）によって構成してもよい。パネル３１の厚さは、後述するように、第１表面３２に人の指が接触した場合に、誘電体部３８において蓄積された静電容量が所定値以上に増加するおそれのないように設定される。
【００３６】
図４及び図５に示されるように、凹部３４の底面３５上には、底面３５から凹部３４の開口に向かって前方へ突出する３本の第１リブ３６が設けられている。各第１リブ３６のそれぞれは、左右方向９（「第１方向」の一例）に沿って延出されている。３本の第１リブ３６は、上下方向７に一定の間隔を空けられている。第１リブ３６のそれぞれは、当該底面３５を上下方向７に４つの等しい領域に分割する。図３及び図４に示されるように、各第１リブ３６の突出長さ（「第１突出長さ」とする）は等しく、それぞれの突出端は、パネル３１における第１表面３２よりも前方に突出している。従って、第１リブ３６のそれぞれが、凹部３４の開口から外方（前方）に突出している。
【００３７】
図２及び図３に示されるように、凹部３４の底面３５上には、底面３５から凹部３４の開口に向かって前方へ突出する２本の第２リブ３７が設けられている。第２リブ３７のそれぞれは、上下方向７（「第２方向」の一例）に沿って延出されている。第２リブ３７は、左右方向９に沿って一定の間隔を空けられている。第２リブ３７のそれぞれは、底面３５を左右方向９に３つの等しい領域に分割する。図４及び図５に示されるように、２本の第２リブ３７のそれぞれの突出端は、第１表面３２の周辺領域と同一平面上に位置している。従って、第１リブ３６の第１突出長さは、第２リブ３７の底面３５からの突出長さ（「第２突出長さ」とする）よりも長くなっている。
【００３８】
図２及び図３に示されるように、凹部３４の底面３５は、３本の第１リブ３６と、２本の第２リブ３７とによって、４行（行方向は左右方向９に相当）、かつ３列（列方向は上下方向７に相当）のマトリクス状に区画された１２個のキー領域３５Ａに区画されている。各キー領域３５Ａは、テンキーの各キーを構成している。各キー領域３５Ａは、ユーザの指によってタッチ操作されるように、凹部３４の開口から露出している。各キー領域３５Ａは、全て等しい形状になっており、それぞれは、左右方向９（第１方向）に沿った長さが上下方向７（第２方向）に沿った長さよりも長い長方形状になっている。パネル３１は、底面３５に対して左右方向９に広がっており、従って、左右方向９（第１方向）に沿った長さが上下方向７（第２方向）に沿った長さよりも長くなっている。
【００３９】
底面３５における上下方向７の最も上方の行（「第１行」とする）を構成する３個のキー領域３５Ａは、左から右にかけて、数値「１」、「２」、「３」の入力に対応付けられている。当該３個のキー領域３５Ａのそれぞれの表面には、「１」、「２」、「３」の表示が設けられている。また、第１行の下方に隣接した行（「第２行」とする）を構成する３個のキー領域３５Ａは、左から右にかけて、数値「４」、「５」、「６」のそれぞれの入力に対応付けられている。３個のキー領域３５Ａのそれぞれの表面には、「４」、「５」、「６」の表示が設けられている。第２行の下方に隣接した行（「第３行」とする）を構成する３個のキー領域３５Ａは、左から右にかけて、数値「７」、「８」、「９」のそれぞれの入力に対応付けられている。３個のキー領域３５Ａのそれぞれの表面には、「７」、「８」、「９」の表示が設けられている。
【００４０】
底面３５における上下方向７の最も下方の行（「第４行」とする）においては、左右方向９の中央部に位置するキー領域３５Ａが、数値「０」の入力に対応付けられている。当該キー領域３５Ａの表面には「０」の表示が設けられている。第４行における左端及び右端に位置するキー領域３５Ａのそれぞれは、「＊」及び「♯」のそれぞれの入力に対応付けられている。当該２個のキー領域３５Ａのそれぞれの表面には、記号「＊」及び「♯」が表示されている。
【００４１】
各キー領域３５Ａに設けられた表示は、例えば、タンポ印刷によって形成される。すなわち、凹部３４の底面３５上には、第２リブ３７より突出長さが大きな第１リブ３６が設けられているが、第１リブ３６に沿って並んだキー領域３５Ａの全てに対しては、タンポ印刷により表示を形成する場合、第１リブ３６による影響を小さく抑えることができる。これにより、効率よく表示を形成できる。
【００４２】
パネル３１が積層される基板２１上には、図２に破線で示されるように、１２個の検出電極２２が設けられている。１２個の検出電極２２は、長方形状のキー領域３５Ａよりも一回り小さな長方形状の平板であり、凹部３４の底面３５に設けられた各キー領域３５Ａと同様に、４行３列のマトリクス状に配置されている。
【００４３】
各検出電極２２は、図４及び図５に示されるように、基板２１上に積層されたパネル３１の第２表面３３に当接している。各検出電極２２は、凹部３４の底面３５において区画されたそれぞれのキー領域３５Ａに対して、タッチ操作入力部１０Ａの正面から見た場合にそれぞれのキー領域３５Ａ内に整合状態で配置されている。従って、左右方向９（行方向）に沿って隣り合う検出電極２２の間、及び、上下方向７（列方向）に沿って隣り合う検出電極２２の間に、それぞれ一定の間隔が空けられている。
【００４４】
凹部３４の底面３５に設けられた各キー領域３５Ａと、各キー領域３５Ａに対してパネル３１の厚さ方向（前後方向８）に離れて配置された検出電極２２との間には、パネル３１における一定の厚さ（前後方向８に沿った長さ）の誘電体部３８が挟まれている。従って、相互に対向するキー領域３５Ａと検出電極２２との間には静電容量が蓄えられる。各検出電極２２は、対応するキー領域３５Ａとの間に蓄えられた静電容量に対応した信号を出力する。
【００４５】
基板２１上には、全ての検出電極２２から出力される信号に基づいて、タッチ操作されたキー領域３５Ａを特定する検出回路２３（図３参照）が設けられている。検出回路２３の出力は、演算処理部２４に出力される。全ての検出電極２２及び検出回路２３と演算処理部２４とは、タッチ操作検出部２５（「検出手段」の一例）を構成している。
【００４６】
検出回路２３は、各検出電極２２の出力信号に基づいて、各検出電極２２に対応するそれぞれの誘電体部３８の領域において蓄積された静電容量を検出する。この場合、蓄積された静電容量が検出される誘電体部３８の領域は、各キー領域３５Ａに対応することから、以下、「キー領域対応部分」とする。キー領域対応部分の静電容量が検出されると、検出された静電容量と、予め設定された閾値とを比較する。比較の結果、検出された静電容量が閾値よりも増加している場合には、当該検出電極２２に対応するキー領域３５Ａにユーザの指がタッチ操作されたものと判定し、所定信号を演算処理部２４に出力する。演算処理部２４は、タッチ操作されたキー領域３５Ａにおいて設定された操作情報に基づいて演算処理を実行する。
【００４７】
［タッチ操作入力部１０Ａの機能］
このような構成のタッチ操作入力部１０Ａは、ユーザがいずれかのキー領域３５Ａをタッチ操作すると、誘電体部３８におけるキー領域対応部分の静電容量が閾値よりも増加する。これにより、当該キー領域３５Ａに対応する検出電極２２は、閾値よりも増加した静電容量に対応する信号を検出回路２３に出力し、検出回路２３は、タッチ操作されたキー領域３５Ａを特定して、タッチ操作されたキー領域３５Ａに関する情報を演算処理部に出力する。演算処理部は、タッチ操作されたキー領域３５Ａにおいて設定された操作情報に基づいて演算処理を実行する。
【００４８】
このようなタッチ操作入力部１０Ａでは、パネル３１の第１表面３２と第２表面３３との間におけるパネル３１の厚さは、凹部３４の底面３５と第２表面３３との間の誘電体部３８の厚さよりも厚くなっている。このために、第１表面３２と第２表面３３との間に蓄積される静電容量が大きく、第１表面３２に対してユーザの指がタッチしても、誘電体部３８のキー領域対応部分における静電容量が閾値よりも増加するおそれがない。従って、第１表面３２にユーザの指が接触した場合には、検出回路２３において、キー領域３５Ａがタッチ操作されたものと誤判定されることはない。
【００４９】
また、第２リブ３７の第２突出長さは、第２リブ３７の突出端に人の指が接触した場合にも、誘電体部３８のキー領域対応部分における静電容量が閾値よりも増加するおそれがない。従って、第２リブ３７の突出端に人の指が接触した場合にも、検出回路２３において、キー領域３５Ａがタッチ操作したものと誤判定されるおそれはない。
【００５０】
さらに、第１リブ３６の第１突出長さは、第２リブ３７の第２突出長さよりも長くなっている。このために、第１リブ３６の突出端に人の指が接触しても、検出回路２３において、ユーザがキー領域３５Ａをタッチ操作したものと誤判定されるおそれはない。
【００５１】
［実施形態の効果］
本実施形態のタッチ操作入力部１０Ａでは、隣り合うキー領域３５Ａの境界である第１リブ３６及び第２リブ３７に人が接触した場合に、検出回路２３において、キー領域３５Ａがタッチ操作したものと誤判定されるおそれはない。このことから、各検出電極２２を相互に近接させることが可能になり、操作装置１０の小型化が容易になる。
【００５２】
また、パネル３１における第１リブ３６及び第２リブ３７は、底面３５からの突出長さが異なっているために、パネル３１の成型時において、成型されたパネル３１を金型から取り出す際に、第１リブ３６及び第２リブ３７の全てが金型に付着することによる「キャビ取られ」の発生を抑制できる。これにより、パネル３１を、製造効率の低下及び不良品の発生を抑えつつ製造することができ、その結果、操作装置の製造コストの増加を抑制できる。
【００５３】
キー領域３５Ａのそれぞれは、第１リブ３６の第１方向に沿った長さが、第２リブ３７の第２方向に沿った長さよりも長い。これにより、第１方向よりも短い第２方向に沿って隣り合うキー領域３５Ａの両方に対して、人の指が同時に接触することを、第１リブ３６によって防止できる。
【００５４】
パネル３１は、第１方向に沿った長さが第２方向に沿った長さより長い。これにより、ユーザは、第２方向に沿って目視できる範囲が、キー領域３５Ａをタッチ操作する指によって遮られても、第１リブ３６により、第２方向に沿って隣り合うキー領域を同時にタッチ操作されることを抑制できる。
【００５５】
第１リブ３６は、第１表面３２よりも外方へ突出しているために、人の指が第１リブ３６に接触した場合に、タッチ操作検出部２５においてキー領域３５Ａがタッチ操作されたと判定されるおそれがない。
【００５６】
第２リブ３７は、第１表面３１まで突出しているために、人の指がキー領域３５Ａ以外の領域に接触しても、タッチ操作検出部２５においてキー領域３５Ａがタッチ操作されたと判定されるおそれがない。
【００５７】
また、ユーザが指によってキー領域３５Ａをタッチ操作する場合には、通常、ユーザの指が上下方向７に沿った状態になる。このために、上下方向７に沿って延出されたユーザの指によって、上下方向７に隣り合う２つのキー領域が同時にタッチ操作される虞がある。しかし、底面３５からの突出長さが第２リブ３７よりも長い第１リブ３６が左右方向９に沿って配置されているために、上記のような２つのキー領域を同時にタッチ操作されることを抑制できる。
【００５８】
各キー領域３５Ａがテンキーであることにより、隣り合うキー領域３５Ａが比較的近接して配置されるテンキーにおいても、タッチ操作検出部２５においてキー領域３５Ａがタッチ操作されたと判定されるおそれがない。
【００５９】
各キー領域３５Ａに、それぞれのキー領域３５Ａにおける静電容量の変化に基づいて上記検出手段から出力される操作情報に関する表示が設けられている。この場合、第１リブ３６に沿った複数のキー領域に対して、タンポ印刷によって表示を形成できるために、表示の形成が容易になる。
【００６０】
［変形例］
なお、本発明は上記実施形態の構成に限るものではない。例えば、第１リブ３６が左右方向９に沿って形成され、第２リブ３７が上下方向７に沿って形成される構成であったが、第１リブ３６が上下方向７に沿って形成され、第２リブ３７が左右方向９に沿って形成される構成であってもよい。
【００６１】
各キー領域３５Ａの大きさについても特に限定されない。また、パネル３１の形状、大きさについても特に限定されるものではない。
【００６２】
第１リブ３６及び第２リブ３７の突出長さも特に限定されず、それぞれが、タッチ操作検出部２５において誤判定を生じさせなければよい。各キー領域３５Ａは、テンキーでなくてもよい。例えば、矢印キー（方向を示す）、アルファベットのような文字キーであってもよい。
【符号の説明】
【００６３】
１０・・・・操作装置
１０Ａ・・・タッチ操作入力部
２１・・・・基板
２２・・・・検出電極
２３・・・・検出回路
２４・・・・演算処理部
２５・・・・タッチ操作検出部
３１・・・・パネル
３２・・・・第１表面
３３・・・・第２表面
３４・・・・凹部
３５・・・・底面
３６・・・・第１リブ
３７・・・・第２リブ
３８・・・・誘電体部
【図１】
2016194975.tif 000003
【図２】
2016194975.tif 000004
【図３】
2016194975.tif 000005
【図４】
2016194975.tif 000006
【図５】
2016194975.tif 000007